(57)【要約】【課題】外蓋を閉じたときの検知およびロックを確実に行い、しかも小型化を図ることが可能な炊飯器を提供する。【解決手段】検知機構は、外蓋４を閉じる際、フックレバー２５の動作によって第１方向に動作する第１レバー６１と、第１レバー６１を第１方向とは逆方向に付勢する第１コイルばね６３と、検知装置７０をＯＮ状態に動作させる第２レバー６２と、第２レバー６２を検知装置７０がＯＮ状態を維持する方向に付勢する第２コイルばね６４と、を備える。第１レバー６１が第１コイルばね６３に抗して第１方向に動作したときに、第２レバー６２が第２コイルばね６４の付勢力によって動作する。【選択図】図１０
2020199144.tif 000002
【特許請求の範囲】
【請求項１】
本体ケースと、
前記本体ケースの上部開口を開閉する蓋と、
前記蓋に設けられ、当該蓋を前記本体ケースに係合する係合部材と、
前記本体ケースに設けられ、前記係合部材と係合する被係合部材と、
前記係合部材と前記被係合部材とを係合させる方向に付勢する付勢部材と、
前記蓋が閉じたことを検知する検知機構と、を備え、
前記検知機構は、前記蓋を閉じる際、前記係合部材の動作によって第１方向に動作する第１動作部材と、前記第１動作部材を前記第１方向とは逆方向に付勢する第１付勢部材と、検知装置をＯＮ状態に動作させる第２動作部材と、前記第２動作部材を前記検知装置が前記ＯＮ状態を維持する方向に付勢する第２付勢部材と、を備え、前記第１動作部材が前記第１付勢部材に抗して前記第１方向に動作したときに、前記第２動作部材が前記第２付勢部材の付勢力によって動作することを特徴とする炊飯器。
【請求項２】
請求項１に記載の炊飯器において、
前記第１動作部材は、前記係合部材の動作によって回転動作する第１回転軸を有し、
前記第２動作部材は、前記第１動作部材の動作によって回転動作する第２回転軸を有することを特徴とする炊飯器。
【請求項３】
請求項１または請求項２に記載の炊飯器において、
前記第１動作部材は、当該第１動作部材の先部が前記本体ケースから突出する腕部を有し、
前記検知装置は、前記腕部に対して前記第１動作部材または前記第２動作部材の軸方向にずれて配置されていることを特徴とする炊飯器。
【請求項４】
請求項１から請求項３のいずれか１項に記載の炊飯器において、
前記第１付勢部材と前記第２付勢部材は、前記第１動作部材または前記第２動作部材の軸方向に重ねて配置されていることを特徴とする炊飯器。
【請求項５】
請求項３に記載の炊飯器において、
前記本体ケースには、前記腕部の先部の前方に、上下方向に動作して前記腕部の先部の前方を開閉するシャッタ部材が設けられていることを特徴とする炊飯器。
【請求項６】
請求項１から請求項５のいずれか１項に記載の炊飯器において、
前記蓋のロックを解除するロック解除ボタンを有し、
前記ロック解除ボタンは、前記蓋の上部に設けられていることを特徴とする炊飯器。
【発明の詳細な説明】
【技術分野】
【０００１】
本発明は、蓋が閉まっていることを検知する機構を備えた炊飯器に関する。
【背景技術】
【０００２】
従来の蓋ロック検知スイッチを備えた炊飯器は、本体ケースに回転式レバーを備え、蓋に設けられたフックレバーが回転式レバーの一方を押すと回転し、回転式レバーの他方が検知スイッチをＯＮ動作させる。これにより、フックレバーが本体ケースに奥まで掛かり外蓋がロックされていることを検知していた。このような構造の検知機構を備えた炊飯器では、回転式レバーが検知スイッチを押すと回転式レバーの回転が止まり、フックレバーもそれ以上奥まで入らなくなる。このため、検知スイッチを押す位置に非常に高い寸法精度が必要であり、または大型化して回転式レバーを撓ませることでフックレバーの押切を可能にする必要があった。
【０００３】
特許文献１に記載の炊飯器は、レバー軸によって支持され、検知スイッチを押し込む検知レバーを備える。外蓋を閉じる際、外蓋に回動自在に支持されたフックレバーが検知レバーの先部に係止されるとともに、検知スイッチが押圧される。さらに、検知レバーがレバー軸から外れることで、フックレバーがさらに押し込まれ、外蓋が完全に閉じられる。
【先行技術文献】
【特許文献】
【０００４】
【特許文献１】特開２０１３−２２３３２号公報
【発明の概要】
【発明が解決しようとする課題】
【０００５】
しかしながら、特許文献１に記載の炊飯器では、検知スイッチを動作させる検知レバーが大型化するという課題があった。
【０００６】
本発明は、前記した従来の課題を解決するものであり、外蓋を閉じたときの検知およびロックを確実に行い、しかも小型化を図ることが可能な炊飯器を提供することを目的とする。
【課題を解決するための手段】
【０００７】
本発明は、本体ケースと、前記本体ケースの上部開口を開閉する蓋と、前記蓋に設けられ、当該蓋を前記本体ケースに係合する係合部材と、前記本体ケースに設けられ、前記係合部材と係合する被係合部材と、前記係合部材と前記被係合部材とを係合させる方向に付勢する付勢部材と、前記蓋が閉じたことを検知する検知機構と、を備え、前記検知機構は、前記蓋を閉じる際、前記係合部材の動作によって第１方向に動作する第１動作部材と、前記第１動作部材を前記第１方向とは逆方向に付勢する第１付勢部材と、検知装置をＯＮ状態に動作させる第２動作部材と、前記第２動作部材を前記検知装置が前記ＯＮ状態を維持する方向に付勢する第２付勢部材と、を備え、前記第１動作部材が前記第１付勢部材に抗して前記第１方向に動作したときに、前記第２動作部材が前記第２付勢部材の付勢力によって動作することを特徴とする。
【発明の効果】
【０００８】
本発明によれば、外蓋を閉じたときの検知およびロックを確実に行い、しかも小型化を図ることが可能な炊飯器を提供できる。
【図面の簡単な説明】
【０００９】
【図１】本実施形態の炊飯器の縦断面図である。
【図２】本実施形態の炊飯器の正面図である。
【図３】本実施形態の炊飯器の外蓋を開いた状態を示す斜視図である。
【図４】図３のＡ方向から見たときの部分拡大図である。
【図５】ケース本体に組付けられた検知機構を示す断面図である。
【図６】検知機構を示す分解斜視図である。
【図７】図６のＢ方向矢視図である。
【図８】検知機構のケース内部の状態を示す斜視図である。
【図９】検知機構を示す斜視図である。
【図１０】フックレバーがフック受け部まで下降した態を示す断面図である。
【図１１】図１０の状態の検知機構の拡大図である。
【図１２】シャッタ部材が下降した状態を示す断面図である。
【図１３】検知スイッチがＯＮした状態を示す断面図である。
【図１４】図１３の状態の検知機構を示す拡大図である。
【図１５】外蓋のロックが完了した状態を示す断面図である。
【図１６】図１５の状態の検知機構を示す拡大図である。
【発明を実施するための形態】
【００１０】
次に、本発明の実施形態に係る炊飯器について、適宜図面を参照しながら詳細に説明する。
【００１１】
（第１実施形態）
図１は、第１実施形態の炊飯器の縦断面図である。
図１に示すように、炊飯器１は、本体ケース２と、本体ケース２内に着脱自在に収納される内釜３と、本体ケース２の上部を覆う外蓋４（蓋）と、を備えて構成されている。
【００１２】
本体ケース２は、ポリプロピレン（ＰＰ）などの合成樹脂製であり、上面が開口し、内釜３が着脱自在に挿入される内容器５を備えている。また、本体ケース２内には、内容器５の外側方および下方との間に空間が形成されている。また、本体ケース２の下部（内容器５の下面）には、内釜３の外側底面部に、内釜３を電磁誘導加熱するための加熱コイル６（加熱手段）が設けられている。
【００１３】
また、本体ケース２の底には、中央に穴を持つ円盤状のシールド板（保護板）１０が固定されている。このシールド板１０は、本体ケース２の下方に向けて加熱コイル６による磁束が漏れるのを防止する機能を有している。
【００１４】
また、本体ケース２内の下部には、内釜３の外側底面の中央部に当接し、内釜３の温度を検出する温度センサユニット７が設けられている。また、本体ケース２の後方には、制御装置（制御基板）８が設けられている。制御装置８は、本体ケース２内の温度の低い空間部に配置されている。温度センサユニット７で検出された温度情報が制御装置８に入力され、加熱コイル６などの加熱を制御する。
【００１５】
本体ケース２の後方下部には、冷却ファン９が設けられている。この冷却ファン９は、制御装置８の下側に設けられ、加熱コイル６と制御装置８とを含む本体ケース２内部を冷却する。また、冷却ファン９は、制御装置８によってオン・オフ制御される。
【００１６】
また、本体ケース２の底面には、加熱コイル６の後方に吸気口２ａが形成され、加熱コイル６の前方に排気口２ｂが形成されている。
【００１７】
内釜３は、有底円筒形状の容器であり、例えば、鉄などの強磁性金属を含む磁性金属と非磁性金属の複合材で形成されている。また、内釜３は、開口縁部の全周に鍔部３ａを有している。また、内釜３は、鍔部３ａが内容器５の開口縁部に接した状態で内容器５に収容される。また、内釜３が内容器５に収容されると、内釜３の底面（下面）が温度センサユニット７に接触した状態になる。
【００１８】
外蓋４は、下面に内蓋１１を備え、本体ケース２に回動自在に取り付けられている。外蓋４を閉じることで、本体ケース２に収容された内釜３を覆い、外周にパッキン１２を備える内蓋１１によって内釜３の上面開口部を塞ぐようになっている。
【００１９】
内蓋１１の上面には、５０Ｗ程度のコードヒータ等からなる蓋ヒータ１３が設けられている。この蓋ヒータ１３を設けることで、内蓋１１に付着した露を蒸発させる働きを有する。
【００２０】
また、内蓋１１には、調圧弁１４が設けられている。外蓋４は、調圧弁１４を制御する調圧弁制御部１５を備えている。調圧弁１４は、球体１４ａを備え、内釜３の内部の気圧が例えば１.３気圧を超えると開口部を開いて１.３気圧を維持する構造を備えている。調圧弁制御部１５は、ソレノイドによって球体１４ａを動かして、調圧弁１４を調圧動作状態か開放状態かを制御する。
【００２１】
また、外蓋４の上面には、米の種類、炊き方などのメニューや、「炊飯」、「切」などを操作する操作部１６を備える。この操作部１６は、制御装置８と接続されている。
【００２２】
蒸気回収ユニット５０は、外蓋４の上面に着脱可能に取り付けられている。また、蒸気回収ユニット５０は、ラビリンス構造を有し、蒸気を溜めることができるとともに、内部に溜めた蒸気を結露水に変える機能を有する。すなわち、外蓋４の上面後部には、蒸気回収ユニット５０が収容される凹部４ａが形成されている。この凹部４ａの底面４ａ１には、円形の開口部４ｂが形成されている。また、外蓋４には、開口部４ｂと調圧弁１４とを接続する蒸気通路４ｃが設けられている。これにより、蒸気回収ユニット５０には、調圧弁１４から出た蒸気が蒸気通路４ｃ、開口部４ｂを通って流入する。また、蒸気回収ユニット５０内に流入した蒸気は、冷却されて結露水に替えられ、蒸気通路４ｃを通って内蓋１１に戻される。
【００２３】
また、内容器５の外周面（外側面）には、側面ヒータ１７（加熱手段）が設けられている。側面ヒータ１７は、電熱線ヒータによって構成され、アルミニウム製のテープなどで内容器５の外周面に固定されている。なお、側面ヒータ１７は、電熱線ヒータに限定されるものではなく、底面側の加熱手段と同様に、ＩＨ（Induction Heating）コイルで構成してもよい。
【００２４】
また、制御装置８は、加熱コイル６とともに、蓋ヒータ１３および側面ヒータ１７の加熱を制御する。また、制御装置８は、インバータ回路などの発熱部品を搭載しており、冷却ファン９によって適宜冷却される。また、制御装置８は、冷却ファン９を作動させて、加熱コイル６、蓋ヒータ１３、側面ヒータ１７を適宜冷却する。また、制御装置８は、後記する検知装置７０からの信号に基づいて外蓋４が閉じられたことを検知する。
【００２５】
また、本体ケース２の後部には、外蓋４を回動自在に支持するヒンジ１８が設けられている。また、ヒンジ１８には、外蓋４が開けられたときに、外蓋４を開方向に付勢するダンパ（不図示）が設けられている。
【００２６】
図２は、本実施形態の炊飯器の正面図である。
図２に示すように、本体ケース２は、前面（図示手前側）を向く前面部２１ａと、左右側面を向く側面部２１ｂ，２１ｃと、後面（背面）を向く後面部２１ｄ（図１参照）と、下面を向く底面部２１ｅと、が樹脂成型によって一体に構成されている。
【００２７】
外蓋４には、操作部１６の前側に、外蓋４を開ける際に操作される操作ボタン１９（ロック解除ボタン）が設けられている。この操作ボタン１９は、指で下方に押し込まれることで、外蓋４に設けられたフックレバー２５（図３参照）が本体ケース２に設けられたフック受け部２８（図４参照）から外れ、ヒンジ１８（図１参照）に設けられた図示しないダンパの付勢力を受けて、外蓋４が解放するように構成されている。
【００２８】
図３は、本実施形態の炊飯器の外蓋を開いた状態を示す斜視図である。
図３に示すように、外蓋４には、内蓋１１の前側に、本体ケース２を閉じてロックするためのフックレバー２５が設けられている。このフックレバー２５は、一対の鉤状部２５ａ，２５ａを有し、鉤状部２５ａが左右に離間して設けられている。
【００２９】
本体ケース２には、内容器５の開口部の周囲に、上枠２ｃが設けられている。また、本体ケース２には、内釜３の前方に、外蓋４を閉じたときに、フックレバー２５を受けるフック受けカバー２６が設けられている。このフック受けカバー２６は、フックレバー２５の鉤状部２５ａ，２５ａに対応する位置に設けられている。
【００３０】
また、本体ケース２には、フック受けカバー２６の下側に、上下方向に動作するシャッタ部材２７が設けられている。
【００３１】
図４は、図３のＡ方向から見たときの部分拡大図である。
図４に示すように、フック受けカバー２６は、前方に向けて下るように傾斜する傾斜面２６ａが形成されている。
【００３２】
シャッタ部材２７は、上枠２ｃに形成された孔２ｄから突出している。また、シャッタ部材２７は、弾性部材４１（図５参照）によって上方に付勢されている。
【００３３】
シャッタ部材２７とフック受けカバー２６との間には、フック受け部２８が設けられている。このフック受け部２８は、金属製の材料によって板状に構成されたものである。また、フック受け部２８は、シャッタ部材２７と略同等の幅で形成されている。
【００３４】
図５は、ケース本体に組付けられた検知機構を示す断面図である。なお、検知機構６０は、左右のどちらか一方に設けられていればよく、本実施形態では左側に設けられた状態を示している。
図５に示すように、フック受け部２８は、基部が水平方向かつ前後方向に延びる水平部２８ａと、水平部２８ａの先端から前方に向けて下るように傾斜する（おじぎする）傾斜部２８ｂと、を有して構成されている。また、フック受け部２８の先端は、フック受けカバー２６よりも前方に突出しないように構成されている。
【００３５】
フック受けカバー２６は、傾斜面２６ａよりも後方に延びる延出部２６ｂを有し、本体ケース２に固定されている。また、フック受けカバー２６の下面２６ｃは、フック受け部２８の水平部２８ａと接し、傾斜部２８ｂと離間している。
【００３６】
シャッタ部材２７は、弾性部材４１によって上方に付勢されている。また、シャッタ部材２７は、上方に向けて突出する突出部２７ａを有している。この突出部２７ａの上面には、さらに上方に突出する突起２７ｂが形成されている。この突起２７ｂは、フック受け部２８の傾斜部２８ｂの先端と対向する高さ位置まで突出している。また、シャッタ部材２７は、突出部２７ａより後方に肩部２７ｃが形成されている。
【００３７】
突出部２７ａの上端は、フック受け部２８よりも下方に位置している。突起２７ｂは、フック受け部２８の傾斜部２８ｂよりも前方に位置している。
【００３８】
本体ケース２には、前面部２１ａと内容器５との間の空間に、検知機構６０が収容されている。この検知機構６０によって、外蓋４が本体ケース２にロックされたことを検知でき、かつ、外蓋４が本体ケース２に確実にロックできるようになっている。
【００３９】
次に、検知機構６０について、図６ないし図９を参照して説明する。
図６は、検知機構を示す分解斜視図である。
図６に示すように、検知機構６０は、第１レバー（第１動作部材）６１と、第２レバー（第２動作部材）６２と、第１コイルばね（第１付勢部材）６３と、第２コイルばね（第２付勢部材）６４と、前ケース６５と、後ケース６６と、検知装置７０（図８参照）と、を備えて構成されている。
【００４０】
第１レバー６１は、左右方向（幅方向）に延びる軸部６１ａを有している。また、第１レバー６１は、軸部６１ａの軸方向Ｇ（左右方向）の端部において、軸部６１ａに対して上方（軸方向に直交する方向）に延びる腕部６１ｂを有している。また、第１レバー６１は、軸部６１ａの軸方向（左右方向）の略中央において、軸部６１ａに対して下方（腕部６１ｂと逆方向）に延びる腕部６１ｃを有している。腕部６１ｂの先部６１ｂ１は、前方にくの字に折れ曲がるように形成されている。
【００４１】
また、軸部６１ａには、腕部６１ｂと腕部６１ｃとの間に、つば部６１ｄが形成されている。このつば部６１ｄは、軸部６１ａの周方向全体に形成されている。また、軸部６１ａには、第１コイルばね６３の端部を保持するばね保持部６１ｃ１が形成されている。これら軸部６１ａ、腕部６１ｂ，６１ｃおよびつば部６１ｄは樹脂成型によって一体に形成されている。
【００４２】
第２レバー６２は、左右方向（幅方向）に延びる軸部６２ａを有している。また、第２レバー６２は、軸部６２ａに対して後方（軸方向Ｇに直交する方向）に延びる腕部６２ｂを有している。また、第２レバー６２は、軸部６２ａに対して上方（軸方向Ｇに直交する腕部６２ｂと異なる方向）に延びる腕部６２ｃを有している。また、第２レバー６２は、軸部６２ａに対して直交する方向（軸方向Ｇに直交する腕部６２ｂ，６２ｃと異なる方向）に延びる腕部６２ｄを有している。
【００４３】
腕部６２ｂの先部６２ｂ１は、上方に折れ曲がるように形成されている。腕部６２ｃの先端後面には、後方に向けて突出して第２コイルばね６４の一端を保持するばね保持部６２ｃ１が形成されている。
【００４４】
第１コイルばね６３は、第１レバー６１と前ケース６５との間に配置される。また、第１コイルばね６３は、軸方向が前後方向を向くように配置され、後側の端部が腕部６１ｃのばね保持部６１ｃ１に保持され、前側の端部が前ケース６５のばね保持部６５ａに保持される。
【００４５】
第２コイルばね６４は、第２レバー６２と後ケース６６との間に配置される。また、第２コイルばね６４は、軸方向が前後方向を向くように配置され、前側の端部がばね保持部６２ｃ１に保持され、後側の端部が後ケース６６のばね保持部６６ｆに保持される。
【００４６】
前ケース６５は、第１レバー６１の軸部６１ａを回動自在に支持する軸受６５ｂ，６５ｃ，６５ｄを有している。軸受６５ｂには、軸部６１ａの端部６１ａ１が支持される。軸受６５ｂと軸受６５ｃとの間には、腕部６１ｂとつば部６１ｄとが位置する。軸受６５ｃと軸受６５ｄとの間には、腕部６１ｃが位置する。
【００４７】
また、前ケース６５は、第２レバーの軸部６２ａを回動自在に支持する軸受６５ｅ，６５ｆ，６５ｇ，６５ｈ，６５ｉを有している。軸受６５ｅと軸受６５ｆとの間には、第２レバー６２の腕部６２ｂが位置する。軸受６５ｇと軸受６５ｈとの間には、腕部６２ｃが位置する。軸受６５ｈと軸受６５ｉとの間には、腕部６２ｄが位置する。
【００４８】
また、前ケース６５の上部には、後ケース６６と嵌合して組み付けられる爪部６５ｊが形成されている。また、前ケース６５の右側部には、軸部６１ａの端部を保持する軸保持部６５ｋが形成されている。
【００４９】
また、前ケース６５の下部には、検知装置７０を収容するスイッチ収容部６５ｍが形成されている。このスイッチ収容部６５ｍは、扁平な四角箱状に形成され、後方に向けて突出している。
【００５０】
後ケース６６は、第１レバー６１の軸部６１ａを回動自在に支持する軸受６６ａ，６６ｂを有している。また、後ケース６６は、第２レバー６２の軸部６２ａを回動自在に支持する軸受６６ｃを有している。なお、図示していないが、後ケース６６は、軸部６２ａを回動自在に支持する他の軸受を有している。
【００５１】
また、後ケース６６の上部には、前ケース６５の爪部６５ｊと係合する係合部６６ｄが形成されている。また、後ケース６６の左側部には、前ケース６５の孔６５ｎに挿入されて係止される爪６６ｅが形成されている。
【００５２】
また、後ケース６６には、第２コイルばね６４の一端を保持するばね保持部６６ｆが形成されている（破線部参照）。また、後ケース６６には、スイッチ収容部６５ｍが保持されるスイッチ保持部６６ｇが形成されている。このスイッチ保持部６６ｇは、前部、左側部および後部の一部が解放した形状である。
【００５３】
また、後ケース６６には、第１レバー６１の腕部６１ｂと第２レバー６２の腕部６２ｂとを動作可能にする開口部６６ｈが形成されている。
【００５４】
図７は、図６のＢ方向矢視図である。
図７に示すように、第１レバー６１の腕部６１ｃと、第２レバー６２の腕部６２ｂと、第１コイルばね６３とが、前後方向に直線状に配置された状態で、前ケース６５と後ケース６６とによって保持される。
【００５５】
第１コイルばね６３は、腕部６１ｃのばね保持部６１ｃ１と、前ケース６５のばね保持部６５ａとで保持される。また、第１コイルばね６３は、第１コイルばね６３が圧縮した状態で前ケース６５と後ケース６６に保持される。
【００５６】
また、第２レバー６２の腕部６２ｃと、第２コイルばね６４とが、前後方向に直線状に配置された状態で、前ケース６５と後ケース６６とによって保持される。
【００５７】
第２コイルばね６４は、腕部６２ｃのばね保持部６２ｃ１と後ケース６６のばね保持部６６ｆとで保持される。また、第２コイルばね６４は、第２コイルばね６４が圧縮した状態で前ケース６５と後ケース６６とによって保持される。
【００５８】
第１レバー６１の腕部６１ｂは、第２レバー６２の軸部６２ａの端部（右端）よりも軸方向Ｇに外れた位置に形成されている。
【００５９】
第２レバー６２の腕部６２ｄは、第１レバー６１の軸部６１ａの端部（左端）よりも軸方向Ｇに外れた位置に形成されている。
【００６０】
また、後ケース６６には、前ケース６５と係合する係合部６６ｉが形成されている。
【００６１】
図８は、検知機構のケース内部の状態を示す斜視図である。なお、図８では、前ケース６５と後ケース６６を取り外した状態を示している。
図８に示すように、第１レバー６１は、腕部６１ｂが上方に延び、腕部６１ｃが下方に延びるように構成されている。第１コイルばね６３は、腕部６１ｃを力Ｆ１によって後方に付勢している。第２レバー６２は、腕部６２ｂの先部６２ｂ１が腕部６１ｃの後面に当接している。また、腕部６２ｂの先部６２ｂ１は、第１コイルばね６３の付勢力によって腕部６１ｃを介して付勢されている。
【００６２】
第２レバー６２は、腕部６２ｂが後方に延び、腕部６２ｃが上方に延び、腕部６２ｄが略前方に延びるように構成されている。第２コイルばね６４は、腕部６２ｃを力Ｆ２によって前方に付勢している。腕部６２ｂには、第２コイルばね６４の付勢力によって軸部６２ａを支点として回動して、力Ｆ３によって前方に押圧する。腕部６２ｄには、第２コイルばね６４の付勢力によって軸部６２ａを支点として回動して、力Ｆ４によって後方に押圧する。
【００６３】
図９は、検知機構を示す斜視図である。なお、図９は、図８に示す状態に前ケース６５と後ケース６６を取り付けた状態である。
図９に示すように、前ケース６５と後ケース６６とを組み付ける際、上部において爪部６５ｊが係合部６６ｄに係止され、下部において図示しない爪部が係合部６６ｉに係止される。また、前ケース６５と後ケース６６とを組み付ける際、左側部において爪６６ｅが孔６５ｎに挿入されて係止され、右側部において軸保持部６５ｋによって軸部６２ａの端部が保持される。また、軸保持部６５ｋの軸方向の内側に軸受６６ｃが挿入される。
【００６４】
第１レバー６１の腕部６１ｂは、前ケース６５および後ケース６６から上方に突出し、先部６１ｂ１が略前方を向いている。
【００６５】
第２レバー６２の腕部６２ｄは、前ケース６５に形成された開口６５ｐから突出している。また、腕部６２ｄは、開口６５ｐを出た後に下方に向けて延び、検知装置７０の正面まで延びて形成されている。
【００６６】
次に、外蓋４を閉じる際の動作について図１０ないし図１６を参照して説明する。図１０は、フックレバーがフック受け部まで下降した状態を示す断面図である。図１１は、図１０の状態の検知機構の拡大図である。図１２は、シャッタ部材が下降した状態を示す断面図である。図１３は、検知スイッチがＯＮした状態を示す断面図である。図１４は、図１３の状態の検知機構を示す拡大図である。図１５は、外蓋のロックが完了した状態を示す断面図である。図１６は、図１５の状態の検知機構を示す拡大図である。
【００６７】
まず、外蓋４が解放した状態（図３参照）から外蓋４を閉じる場合には、外蓋４の上面を手で押圧する。これにより、外蓋４は、ヒンジ１８（図１参照）を介して回動し、フックレバー２５がフック受けカバー２６の傾斜面２６ａに当接する。そして、外蓋４を手でさらに押圧することにより、フックレバー２５がばね部材２５ｓの付勢力に抗し、軸２５ｇを支点として回動しながら、鉤状部２５ａが傾斜面２６ａを下るように摺動する。そして、フックレバー２５が図１０に示す状態に至る。
【００６８】
図１０に示すように、フックレバー２５の鉤状部２５ａがシャッタ部材２７に上方から当接する。具体的には、鉤状部２５ａの下面が、シャッタ部材２７の上面の突起２７ｂに当接する。またこのとき、鉤状部２５ａの先端は、フック受け部２８の傾斜部２８ｂの先端と対向する。このため、フックレバー２５の鉤状部２５ａが、フックレバー２５に設けられたばね部材２５ｓの付勢力を受けたとしても、フックレバー２５の鉤状部２５ａがフック受け部２８の先端に当接する。このため、鉤状部２５ａがそれ以上奥側（ロックする方向）に入り込むことはない。
【００６９】
図１１に示すように、第１レバー６１は、腕部６１ｃが第１コイルばね６３の弾性力を受けて、軸部６１ａを支点として反時計周り方向に回動するように付勢される。一方、第２レバー６２は、第２コイルばね６４の弾性力を受けて軸部６２ａを支点として反時計周り方向に回動するように付勢される。これにより、腕部６２ｂは、先部６２ｂ１が腕部６１ｃの後面を押圧するように接している。このとき、腕部６１ｃは、第１コイルばね６３の付勢力を受けているので、腕部６２ｂが回動するのを規制している。このため、図１０に示す状態では、第２レバー６２の腕部６２ｄが検知装置７０のスイッチ部７０ａから離間し、スイッチ部７０ａをＯＮ状態にできないようになっている。
【００７０】
そして、図１２に示すように、外蓋４がさらに下方に押圧されると、フックレバー２５の鉤状部２５ａがシャッタ部材２７を押し下げる。このとき、鉤状部２５ａがフック受け部２８より下方に位置するように押し下げられることで、鉤状部２５ａの先端と腕部６１ｂの先部６１ｂ１とが対向する。鉤状部２５ａが図１２に示す状態に至ることで、鉤状部２５ａがフックレバー２５のばね部材２５ｓ（図１０参照）の付勢力を受けて、第１レバー６１の腕部６１ｂを押圧できるようになる。なお、図１２は、鉤状部２５ａが腕部６１ｂを押圧する直前の状態を示している。
【００７１】
そして、図１３に示すように、フックレバー２５の鉤状部２５ａがフックレバー２５のばね部材２５ｓ（図１０参照）の付勢力を受けて、フックレバー２５が回動する。これにより、鉤状部２５ａがフック受け部２８の下側に入り込み、腕部６１ｂの先部６１ｂ１を後方（第１レバー６１を時計周り方向に回動させる方向）に押圧する。これによって、検知装置７０がＯＮ状態になる。なお、検知装置７０がＯＮ状態になったときは、まだフック受けカバー２６とフックレバー２５との間に隙間Ｓが形成されている。
【００７２】
さらに詳述すると、図１１に示す状態において、腕部６１ｂの先部６１ｂ１がフックレバー２５（図１０参照）によってｓ１方向（後方）に押圧される。これにより、第１レバー６１が、軸部６１ａを支点として、第１コイルばね６３の付勢力を受けながら時計周り方向ｗ１に回動する。第１レバー６１が回動することで、腕部６１ｃがｓ２方向に回動して、第２レバー６２の動作規制が解除される。これにより、第２レバー６２は、第２コイルばね６４の付勢力を受けながら反時計周り方向ｗ２に回動する。第２レバー６２の回動動作によって、腕部６２ｂの先部６２ｂ１がｓ３方向に動作し、腕部６２ｄの先部６２ｄ１がｓ４方向に動作する。これにより、図１４に示す状態に至る。このとき、腕部６２ｄの先部６２ｄ１が、検知装置７０のスイッチ部７０ａを押圧する。検知装置７０がＯＮ状態になることで、外蓋４が閉じられたことが制御装置８（図１参照）によって検知される。
【００７３】
なお、図１４に示す状態では、検知装置７０がＯＮ状態になっているので、第２レバー６２をそれ以上反時計周り方向に回動させることはできない。また、腕部６２ｂの先部６２ｂ１は、第２コイルばね６４の付勢力を受けて、第１レバー６１の腕部６１ｃの後面を押圧している。
【００７４】
そして、図１５に示すように、腕部６１ｂの先部６１ｂ１がフックレバー２５のばね部材２５ｓの付勢力を受けて、フックレバー２５が回動する。これにより、鉤状部２５ａがフック受け部２８の下側にさらに奥側に入り込み、腕部６１ｂの先部６１ｂ１をさらに後方に押圧する。このとき、フックレバー２５は、フック受けカバー２６の先端に当接する。
【００７５】
さらに詳述すると、図１４に示す状態において、腕部６１ｂの先部６１ｂ１がフックレバー２５（図１３参照）によってｓ１１方向（後方）に押圧される。これにより、第１レバー６１が、軸部６１ａを支点として、第１コイルばね６３の付勢力を受けながら時計周り方向ｗ１１に回動する。第１レバー６１が回動することで、腕部６１ｃがｓ１２方向に動作する。これにより、図１６に示す状態に至る。図１６に示すように、第１レバー６１は、第１コイルばね６３によって付勢されているだけであるので、腕部６１ｂの先部６１ｂ１をさらに押圧できるようになっている。このとき、腕部６１ｃと腕部６２ｂの先部６２ｂ１とが離間して隙間Ｓ１が形成されている。しかし、第２レバー６２は、第２コイルばね６４によって、検知装置７０をＯＮ状態にする方向に腕部６２ｄを付勢している。このため、検知装置７０のスイッチ部７０ａから腕部６２ｄの先部６２ｄ１が離間することがない。
【００７６】
また、検知装置７０がＯＮ状態になった（図１３、図１４参照）後も、第１レバー６１をさらに回動（動作）させることができるので、フックレバー２５の鉤状部２５ａをフック受け部２８に確実に奥まで掛けることができる。
【００７７】
ところで、腕部６２ｄの動作によって検知装置７０がＯＮ状態になったときに腕部６１ｂをそれ以上動作させることができないと、高い寸法精度が必要になる。しかし、本実施形態のように、検知装置７０がＯＮ状態になった後も腕部６１ｂをさらに奥まで動作させることができるので、高い寸法精度を不要にできる。
【００７８】
また、前記した炊飯器１では、外蓋４を閉じた状態から開く場合には、操作ボタン１９（図１、図２参照）を押圧する。これにより、操作ボタン１９の操作によって、図１５に示す状態から、フックレバー２５の鉤状部２５ａが、フック受け部２８から抜け出る。このとき、フックレバー２５は、図１０に示す状態に戻ることで、ヒンジ１８のダンパ（不図示）によって、外蓋４が解放する方向に動作する。また、シャッタ部材２７が弾性部材４１の弾性力によって上方に復帰することで、操作ボタン１９を押した後に離したとしても、フックレバー２５の鉤状部２５ａが再びフック受け部２８に掛かるのを防止できる。
【００７９】
以上説明したように、本実施形態の炊飯器１は、本体ケース２と、本体ケース２の上部を開閉する外蓋４と、を備える。また、炊飯器１は、外蓋４に設けられ、当該外蓋４を本体ケース２に係合するフックレバー２５と、本体ケース２に設けられ、フックレバー２５と係合するフック受け部２８と、を備える。また、炊飯器１は、フックレバー２５とフック受け部２８とを係合させる方向に付勢するばね部材２５ｓと、外蓋４が閉じたことを検知する検知機構６０と、を備える。検知機構６０は、外蓋４を閉じる際、フックレバー２５の動作によって時計周り方向（第１方向）に動作する第１レバー６１と、第１レバー６１を反時計周り方向（第１方向とは逆方向）に付勢する第１コイルばね６３と、を備える。また、検知機構６０は、検知装置７０をＯＮ状態に動作させる第２レバー６２と、第２レバー６２を検知装置７０がＯＮ状態を維持する方向に付勢する第２コイルばね６４と、を備える。第１レバー６１が第１コイルばね６３に抗して時計周り方向（第１方向）に動作したときに、第２レバー６２が第２コイルばね６４の付勢力によって動作する。これによれば、検知動作を確実にするために、従来のように軸をずらす機構を設ける必要がないので、検知機構を小型化することができる。しかも、第１コイルばね６３と第２コイルばね６４を設けることで、検知装置７０がＯＮ状態になった後も第１レバー６１を動作させることができ、フックレバー２５をフック受け部２８に確実に係合させることができる。
【００８０】
また、本実施形態は、第１レバー６１は、フックレバー２５の動作によって回転動作する軸部６１ａを有し、第２レバー６２は、第１レバー６１の動作によって回転動作する軸部６２ａを有する。これによれば、第１レバー６１と第２レバー６２の動作範囲を狭く収めることができるので、検知機構を小型することができる。
【００８１】
また、本実施形態は、第１レバー６１は、当該第１レバーの先部６１ｂ１が本体ケース２から突出する腕部６１ｂを有する。検知装置７０は、腕部６１ｂに対して第１レバー６１または第２レバー６２の軸方向Ｇにずれて配置されている。腕部６１ｂから突出する本体ケース２から水が浸入したとしても、水が検知装置７０にかかりにくくなる。
【００８２】
また、本実施形態は、第１コイルばね６３と第２コイルばね６４は、第１レバー６１または第２レバー６２の軸方向Ｇに重ねて配置されている。これによれば、検知機構６０の上下方向（軸方向Ｇに直交する方向）の寸法を小さくできるので、検知機構６０を小型化することができる。
【００８３】
また、本実施形態は、本体ケース２には、腕部６１ｂの先部６１ｂ１の前方に、上下方向に動作して腕部６１ｂの先部６１ｂ１の前方を開閉するシャッタ部材２７が設けられている。これによれば、異物などがフックレバー２５によって腕部６１ｂ側に押し込まれるのを防止することができ、検知機構６０の誤作動を防止できる。
【００８４】
また、本実施形態は、操作ボタン１９は、外蓋４の上部に設けられている。これによれば、本体ケース２の前面に操作ボタンを設ける場合よりも、本体ケース２の前部の寸法を短くすることができ、炊飯器１を小型化することができる。
【００８５】
以上、本発明の実施形態について説明したが、本発明は前記した実施形態に限定されず、種々の形態で実施することができる。例えば、前記した実施形態では、第１レバー６１と第２レバー６２をそれぞれ回動動作する部材によって構成したが、第１動作部材と第２動作部材をスライド動作する構成であってもよい。
【符号の説明】
【００８６】
１      炊飯器
２      本体ケース
３      内釜
４      外蓋（蓋）
６      加熱コイル
９      冷却ファン
１０    シールド板
１１    内蓋
１９    操作ボタン（ロック解除ボタン）
２５    フックレバー（係合部材）
２５ａ  鉤状部
２５ｓ  ばね部材（付勢部材）
２６    フック受けカバー
２７    シャッタ部材
２７ｂ  突起
２８    フック受け部（被係合部材）
６１    第１レバー（第１動作部材）
６１ａ  軸部（第１回動軸）
６１ｂ  腕部（本体ケースから突出する腕部）
６１ｂ１  先部
６２    第２レバー（第２動作部材）
６２ａ  軸部（第２回動軸）
６２ｂ  腕部
６２ｂ１  先部
６３    第１コイルばね（第１付勢部材）
６４    第２コイルばね（第２付勢部材）
６５    前ケース
６６    後ケース
７０    検知装置
７０ａ  スイッチ部
Ｇ      軸方向
【図１】
2020199144.tif 000003
【図２】
2020199144.tif 000004
【図３】
2020199144.tif 000005
【図４】
2020199144.tif 000006
【図５】
2020199144.tif 000007
【図６】
2020199144.tif 000008
【図７】
2020199144.tif 000009
【図８】
2020199144.tif 000010
【図９】
2020199144.tif 000011
【図１０】
2020199144.tif 000012
【図１１】
2020199144.tif 000013
【図１２】
2020199144.tif 000014
【図１３】
2020199144.tif 000015
【図１４】
2020199144.tif 000016
【図１５】
2020199144.tif 000017
【図１６】
2020199144.tif 000018